(57)【要約】【課題】  電磁誘導によりデータを送受信する機能を恒常的に確保しつつ、受信した電波に含まれている時刻データに基づき正確な時刻修正を行う。【解決手段】  ステップＳ２の判断がＹＥＳであって、電磁誘導によりデータを送受信している状態において、タイムコードを含む長波標準電波を受信すると、電磁誘導によりデータを送受信する際の磁界がタイムコードを含む長波標準電波に干渉し、誤データが生成されてしまうおそれがある。しかし、ステップＳ２の判断がＹＥＳである場合には、ステップＳ５の処理が実行されないことにより、時計部に対する時刻修正が禁止される。したがって、データキャリア側アンテナコイルとリーダー／ライター側アンテナコイルとの間での電磁誘導による影響で、タイムコードの誤データが生成されたとしても、この誤データに基づき時計部の時刻が修正されることはない。【選択図】    図５
2005181117.tif 000002
【特許請求の範囲】
【請求項１】
時刻を計数する時刻計数手段と、
時刻データを含む電波を受信して、受信した電波に含まれている時刻データに基づき前記時刻計数手段の時刻を修正する時刻修正手段と、
電磁誘導によりデータを送受信するデータ送受信手段と、
このデータ送受信手段が動作中であるか否かを検出する動作検出手段と、
この動作検出手段により前記データ送受信手段が動作中であることが検出されたとき、前記時刻修正手段の動作を禁止する動作制御手段と
を備えることを特徴とする時計装置。
【請求項２】
時刻を計数する時刻計数手段と、
時刻データを含む電波を受信して、受信した電波に含まれている時刻データに基づき前記時刻計数手段の時刻を修正する時刻修正手段と、
電磁誘導によりデータを送受信するデータ送受信手段と、
前記時刻修正手段の動作中に、前記データ送受信手段の動作が開始されたか否かを検出する動作検出手段と、
この動作検出手段の検出結果に基づき、前記データ送受信手段の動作が開始された際に、前記時刻修正手段の動作を停止させる動作制御手段と、
を備えることを特徴とする時計装置。
【請求項３】
時刻データを含む電波を受信する第１のアンテナと、
電磁誘導によるデータ送受信用の第２のアンテナとを備え、
腕時計ケースの一端部側に前記両アンテナのいずれか一方が配置され、前記一端部に対向する他端部側に他方が配置されたことを特徴とする時計装置。
【請求項４】
前記腕時計ケースの１２時側に前記両アンテナのいずれか一方が配置され、６時側に他方が配置されたことを特徴とする請求項３記載の時計装置
【請求項５】
時刻を計数する時刻計数手段と、時刻データを含む電波を受信して、受信した電波に含まれている時刻データに基づき前記時刻計数手段の時刻を修正する時刻修正手段と、電磁誘導によりデータを送受信するデータ送受信手段とを備えた時計装置の動作制御方法であって、
前記データ送受信手段が動作中であるか否かを検出する動作検出工程と、
この動作検出工程により前記データ送受信手段が動作中であることが検出されたとき、前記時刻修正手段の動作を禁止する動作制御工程と
を含むことを特徴とする時計装置の動作制御方法。
【請求項６】
時刻を計数する時刻計数手段と、時刻データを含む電波を受信して、受信した電波に含まれている時刻データに基づき前記時刻計数手段の時刻を修正する時刻修正手段と、電磁誘導によりデータを送受信するデータ送受信手段とを備えた時計装置の動作制御方法であって、
前記時刻修正手段の動作中に、前記データ送受信手段の動作が開始されたか否かを検出する動作検出工程と、
この動作検出工程での検出結果に基づき、前記データ送受信手段の動作が開始された際に、前記時刻修正手段の動作を停止させる動作制御工程と
を含むことを特徴とする時計装置の動作制御方法。
【請求項７】
時刻を計数する時刻計数手段と、時刻データを含む電波を受信して、受信した電波に含まれている時刻データに基づき前記時刻計数手段の時刻を修正する時刻修正手段と、電磁誘導によりデータを送受信するデータ送受信手段とを備えた時計装置が有するコンピュータを、
前記データ送受信手段が動作中であるか否かを検出する動作検出手段と、
この動作検出手段により前記データ送受信手段が動作中であることが検出されたとき、前記時刻修正手段の動作を禁止する動作制御手段と
して機能させることを特徴とする時計装置動作制御プログラム。
【請求項８】
時刻を計数する時刻計数手段と、時刻データを含む電波を受信して、受信した電波に含まれている時刻データに基づき前記時刻計数手段の時刻を修正する時刻修正手段と、電磁誘導によりデータを送受信するデータ送受信手段と備えた時計装置が有するコンピュータを、
前記時刻修正手段の動作中に、前記データ送受信手段の動作が開始されたか否かを検出する動作検出手段と、
この動作検出手段の検出結果に基づき、前記データ送受信手段の動作が開始された際に、前記時刻修正手段の動作を停止させる動作制御手段と、
して機能させることを特徴とする時計装置動作制御プログラム。
【発明の詳細な説明】
【技術分野】
【０００１】
本発明は、電磁誘導によりデータを送受信する機能を備えた時計装置、時計装置の動作制御方法及び時計装置動作制御プログラムに関する。
【背景技術】
【０００２】
従来、電磁誘導によりデータを送受信する機能を備えた時計装置として、下記特許文献１記載のデータ通信装置が公知である。このデータ通信装置は腕時計であって、時計本体には時計モジュールのみならず、データキャリアモジュールが配置されている。このデータキャリアモジュールは、データキャリアＩＣ用基板やこれに接続され電磁誘導により信号を送受信するためのデータキャリア側アンテナコイルとによって構成されている。そして、使用者（認証対象者）が、当該腕時計を電磁誘導方式のＲＦ−ＩＤシステム等のリーダ／ライタに近づけることにより、電磁誘導によるデータの送受信がなされる。
【０００３】
一方、今日においては、各国（例えば、ドイツ、イギリス、スイス、日本等）において、時刻データ即ちタイムコード入りの長波標準電波が送出されている。我が国（日本）では、２つの送信所（福島県及び佐賀県）より、所定のフォーマットのタイムコードで振幅変調した４０ｋＨｚ及び６０ｋＨｚの長波標準電波が送出されている。このようなタイムコードを含む標準電波を受信して、これにより現在時刻データを修正する、いわゆる電波時計が実用化されている。電波時計は、所定時間毎に、内蔵しているアンテナを介して標準電波を受信し、増幅変調してタイムコードを解読することにより現在時刻を修正している。
【特許文献１】特開２０００−２８６７６１号公報
【発明の開示】
【発明が解決しようとする課題】
【０００４】
しかしながら、前述した電磁誘導によりデータを送受信するデータ送受信機能と、タイムコードを含む電波を受信して時刻を修正する電波時計機能とを同一の腕時計に搭載すると、電磁誘導によりデータを送受信する際の磁界がタイムコードを含む電波に干渉する。このため、電波に含まれているタイムコードが破損して、誤データが生成されてしまい、その結果誤データに基づき時刻が修正されてしまうおそれがあった。
【０００５】
本発明は、かかる従来の課題に鑑みてなされたものであり、電磁誘導によりデータを送受信する機能を恒常的に確保しつつ、受信した電波に含まれている時刻データに基づき正確な時刻修正を行うことのできる時計装置、時計装置の動作制御方法及び時計装置動作制御プログラムを提供することを目的とする。
【課題を解決するための手段】
【０００６】
前記課題を解決するため請求項１記載の発明に係る時計装置にあっては、時刻を計数する時刻計数手段と、時刻データを含む電波を受信して、受信した電波に含まれている時刻データに基づき前記時刻計数手段の時刻を修正する時刻修正手段と、電磁誘導によりデータを送受信するデータ送受信手段と、このデータ送受信手段が動作中であるか否かを検出する動作検出手段と、この動作検出手段により前記データ送受信手段が動作中であることが検出されたとき、前記時刻修正手段の動作を禁止する動作制御手段とを備える。
【０００７】
すなわち、データ送受信手段が電磁誘導によりデータを送受信している状態において、時刻データを含む電波を受信すると、電磁誘導によりデータを送受信する際の磁界が時刻データを含む電波に干渉し、誤データが生成されてしまうおそれがある。しかし、データ送受信手段が動作中である場合には、時刻修正手段の動作が禁止される。したがって、譬え時刻データの誤データが生成されたとしても、この誤データに基づき時刻計数手段の時刻が修正されることはない。よって、電磁誘導によりデータを送受信する機能を恒常的に確保しつつ、受信した電波に含まれている時刻データに基づき正確な時刻修正を行うことが可能となる。
【０００８】
また、請求項２記載の発明に係る時計装置にあっては、時刻を計数する時刻計数手段と、時刻データを含む電波を受信して、受信した電波に含まれている時刻データに基づき前記時刻計数手段の時刻を修正する時刻修正手段と、電磁誘導によりデータを送受信するデータ送受信手段と、前記時刻修正手段の動作中に、前記データ送受信手段の動作が開始されたか否かを検出する動作検出手段と、この動作検出手段の検出結果に基づき、前記データ送受信手段の動作が開始された際に、前記時刻修正手段の動作を停止させる動作制御手段とを備える。
【０００９】
すなわち、データ送受信手段が電磁誘導によりデータを送受信している状態において、時刻データを含む電波を受信すると、電磁誘導によりデータを送受信する際の磁界が時刻データを含む電波に干渉し、誤データが生成されてしまうおそれがある。しかし、時刻修正手段の動作中に、データ送受信手段の動作が開始された際には、時刻修正手段の動作を停止させる。したがって、譬え時刻データの誤データが生成されたとしても、この誤データに基づき時刻計数手段の時刻が修正されることはない。よって、電磁誘導によりデータを送受信する機能を恒常的に確保しつつ、受信した電波に含まれている時刻データに基づき正確な時刻修正を行うことが可能となる。
【００１０】
また、請求項３記載の発明に係る時計装置にあっては、時刻データを含む電波を受信する第１のアンテナと、電磁誘導によるデータ送受信用の第２のアンテナとを備え、腕時計ケースの一端部側に前記両アンテナのいずれか一方が配置され、前記一端部に対向する他端部側に他方が配置されている。したがって、例えば腕時計ケースの６時側に第１のアンテナが配置され、１２時側に第２のアンテナが配置されることとなる。よって、両アンテナは、腕時計ケースにおいて最も離間し合う部位に配置されることから、電磁誘導によりデータを送受信する際の磁界が時刻データを含む電波に干渉するおそれがなく、誤データが生成されてしまうおそれもない。その結果、電磁誘導によりデータを送受信する機能を恒常的に確保しつつ、受信した電波に含まれている時刻データに基づき正確な時刻修正を行うことが可能となる。
【００１１】
また、請求項４記載の発明に係る時計装置にあっては、前記腕時計ケースの１２時側に前記両アンテナのいずれか一方が配置され、６時側に他方が配置されている。
【００１２】
また、請求項５記載の発明にあっては、時刻を計数する時刻計数手段と、時刻データを含む電波を受信して、受信した電波に含まれている時刻データに基づき前記時刻計数手段の時刻を修正する時刻修正手段と、電磁誘導によりデータを送受信するデータ送受信手段とを備えた時計装置の動作制御方法であって、前記データ送受信手段が動作中であるか否かを検出する動作検出工程と、この動作検出工程により前記データ送受信手段が動作中であることが検出されたとき、前記時刻修正手段の動作を禁止する動作制御工程とを含む。したがって、記載した工程に従って処理を実行することにより、請求項１記載の発明と同様の作用効果を奏する。
【００１３】
また、請求項６記載の発明にあっては、時刻を計数する時刻計数手段と、時刻データを含む電波を受信して、受信した電波に含まれている時刻データに基づき前記時刻計数手段の時刻を修正する時刻修正手段と、電磁誘導によりデータを送受信するデータ送受信手段とを備えた時計装置の動作制御方法であって、前記時刻修正手段の動作中に、前記データ送受信手段の動作が開始されたか否かを検出する動作検出工程と、この動作検出工程での検出結果に基づき、前記データ送受信手段の動作が開始された際に、前記時刻修正手段の動作を停止させる動作制御工程とを含む。したがって、記載した工程に従って処理を実行することにより、請求項２記載の発明と同様の作用効果を奏する。
【００１４】
また、請求項７記載の発明に係る時計装置動作制御プログラムにあっては、時刻を計数する時刻計数手段と、時刻データを含む電波を受信して、受信した電波に含まれている時刻データに基づき前記時刻計数手段の時刻を修正する時刻修正手段と、電磁誘導によりデータを送受信するデータ送受信手段とを備えた時計装置が有するコンピュータを、前記データ送受信手段が動作中であるか否かを検出する動作検出手段と、この動作検出手段により前記データ送受信手段が動作中であることが検出されたとき、前記時刻修正手段の動作を禁止する動作制御手段として機能させる。したがって、前記コンピュータがこのプログラムに従って処理を実行することにより、請求項１記載の発明と同様の作用効果を奏する。
【００１５】
また、請求項８記載の発明に係る時計装置動作制御プログラムにあっては、時刻を計数する時刻計数手段と、時刻データを含む電波を受信して、受信した電波に含まれている時刻データに基づき前記時刻計数手段の時刻を修正する時刻修正手段と、電磁誘導によりデータを送受信するデータ送受信手段と備えた時計装置が有するコンピュータを、前記時刻修正手段の動作中に、前記データ送受信手段の動作が開始されたか否かを検出する動作検出手段と、この動作検出手段の検出結果に基づき、前記データ送受信手段の動作が開始された際に、前記時刻修正手段の動作を停止させる動作制御手段として機能させる。したがって、前記コンピュータがこのプログラムに従って処理を実行することにより、請求項２記載の発明と同様の作用効果を奏する。
【発明の効果】
【００１６】
以上のように本発明によれば、データ送受信手段が電磁誘導によりデータを送受信する際の電磁誘導により、時刻データを含む電波の時刻データが誤データとなったとしても、この誤データに基づき時刻計数手段の時刻が修正されることはない。よって、電磁誘導によりデータを送受信する機能を恒常的に確保しつつ、受信した電波に含まれている時刻データに基づき正確な時刻修正を行うことが可能となる。
【００１７】
また、本発明によれば、時刻データを含む電波を受信する第１のアンテナと、電磁誘導によるデータ送受信用の第２のアンテナとが、腕時計ケースにおいて最も離間し合う部位に配置されることから、電磁誘導によりデータを送受信する際の磁界が時刻データを含む電波に干渉するおそれがなく、誤データが生成されてしまうおそれもない。その結果、電磁誘導によりデータを送受信する機能を恒常的に確保しつつ、受信した電波に含まれている時刻データに基づき正確な時刻修正を行うことが可能となる。
【発明を実施するための最良の形態】
【００１８】
以下、本発明の一実施の形態を図に従って説明する。
本実施の形態は、本発明を腕時計に適用したものであり、図１は、本発明の実施の形態に係る腕時計１の外観図である。図に示すように、この腕時計１は、時計本体２と、この時計本体２の両端部に係止された樹脂製のリストバンド３とで構成されている。時計本体２は、図２に示すように、リストバンド３が係止された先かん取付部４１、４２を有する樹脂製のケース本体４に、このケース本体４の上部及び外周を覆うベゼルが取付けられた構造を有している。ケース本体４の中央上面には、樹脂製の表示見切り板（文字盤）７が配置されている一方、ケース本体４の上方を閉鎖する風防ガラス８が嵌着されている。なお、表示見切り板７の上面には、太陽電池５１が配置されている。
さらに、ケース本体４の内部には、時計モジュール１４が収容されている。時計モジュール１４は、樹脂製のハウジング１２を有し、ハウジング１２内にはＬＳＩ２１が載置された回路基板１９が収納され、この回路基板１９の上部にはＬＣＤ表示パネル２３が設けられ、このＬＣＤ表示パネル２３は、インターコネクタ１３を介して回路基板１９に電気的に接続されている。回路基板１９の下面には、長波標準時刻電波受信ＩＣ５３が配置され、この長波標準時刻電波受信ＩＣ５３は、ＬＳＩ２１に接続されている。また、回路基板１９の下側には、電池２０が配置されている。そして、ケース本体４の下方開口部が、防水パッキン１６を介して止着された金属製の裏蓋１７によって密閉されている。
一方の先かん取付部４１は、時計本体２の６時側に設けられており、その上面側にはカバー３１が装着されている。このカバー３１と先かん取付部４１との間には、収容空間部３２が設けられており、この収容空間部３２内には長波標準時刻電波受信用の受信アンテナ３３が配置されている。
【００１９】
他方の先かん取付部４２は、時計本体２の１２時側に設けられており、その上面側にはカバー３４が装着されている。このカバー３４と先かん取付部４２との間には、収容空間部３５が設けられており、この収容空間部３５内には電磁誘導により信号を送受信するためのアンテナコイル（データキャリア側アンテナコイル）２６と、このアンテナコイル２６が接続された非接触データ通信ＩＣ５４（図１参照）が配置されている。
【００２０】
図３は、ＬＳＩ２１に設けられた回路を示す図である。このＬＳＩ２１には、ドライバ５２、スイッチ入力回路５５、ブザー出力回路５６、電源回路５７、ＲＡＭ５８、ＲＯＭ５９、ＣＰＵ６０、及び時計部６１が設けられている。ドライバ５２は前記ＬＣＤ表示パネル２３を駆動しする。スイッチ入力回路５５は各種スイッチ６２からの操作信号を取り込み、ブザー出力回路５６は、ＣＰＵ６０からの指示に応じて電圧ブザー３６を駆動する。電源回路５７には、前記太陽電池５１と電池２０とが接続されており、これら電池５１、２０からの電力を各部に供給する。ＲＡＭ５８は各種データを記憶し、またＣＰＵ６０のワークエリアとしても使用される。ＲＯＭ５９には、後述するフローチャートに示すプログラムや、その他必要なプログラムが格納されている、ＣＰＵ６０は、ＲＡＭ５８をワークエリアとして使用しつつ、前記プログラムに従って各部を制御する。時計部６１は、ＣＰＵ６０から供給される所定周波数のクロック信号に基づき、現在時刻を計数する。
【００２１】
なお、非接触データ通信ＩＣ５４は、前述のように収容空間部３５内に配置されており、アンテナコイル２６の電磁誘導により受信した非接触データを処理して、ＣＰＵ６０に供給する。また、長波標準時刻電波受信ＩＣ５３は、回路基板１９の下面に配置され、前記受信アンテナ３３で受信した長波標準時刻電波から時刻コードを得て、ＣＰＵ６０に供給する。
【００２２】
図４は、腕時計１と電磁誘導によりデータを送受信するリーダー／ライター１００の側の構成を示すブロック図である。腕時計１には、前述のように非接触データ通信ＩＣ５４に接続されたアンテナコイル２６が設けられている。一方、リーダー／ライター１００には、アンテナコイル（リーダー／ライター側アンテナコイル）１０１が接続されているとともに、ＵＳＢ１０２を介してＰＣ１０３が接続されている。電磁誘導によってアンテナコイル２６に発生した電流は、非接触データ通信ＩＣ５４で整流されて、電源として電源回路５７に送られる。また、非接触データ通信ＩＣ５４は、電磁誘導によってアンテナコイル２６で受信した信号からクロックを再生するとともに、受信したデータを復調し、かつ復号処理を行う。前記生成されたクロックと前記復号処理されたデータは前記ＣＰＵ６０に入力される。また、ＣＰＵ６０は、これら各部から入力されるデータ等に基づき、ＲＡＭ５８に記憶されているデータの中からリーダー／ライター１００に送出するデータを符号化し、この符号化されたデータは非接触データ通信ＩＣ５４で変調されて、データキャリア側アンテナコイル２６に送出されるように構成されている。
【００２３】
一方、リーダー／ライター１００は、リーダー／ライター側アンテナコイル１０１の一端に同調コンデンサを介して接続されたアンテナ駆動回路と復調部とを有している。電磁誘導によってリーダー／ライター側アンテナコイル１０１が受信した信号はこの復調部で復調され、フィルタリングされるとともに増幅され、データに復号されてＰＣ１０３に供給される。また、腕時計１に送出するデータは、ＰＣ１０３からＵＳＢ１０２を介してリーダー／ライター１００に送られて符号化された後、変調される。ＰＣ１０３には、例えば金融ネットワーク、開閉ゲート、サーバーなどの制御対象が接続されている。
【００２４】
以上の構成からなる本実施の形態において、ＣＰＵ６０は前記プログラムに基づき図５のフローチャートに示す制御を実行する。すなわち、時計部６１が計数している現在時刻に基づき、午前３時となったか否かを判断する（ステップＳ１）。午前３時となっていない場合には、ステップＳ２〜Ｓ５の処理を実行することなく、スイッチ処理（ステップＳ６）、及び表示処理（ステップＳ７）を実行する。そして、スイッチ処理（ステップＳ６）では、スイッチ５２に操作に対応する処理を行い、また、表示処理（ステップＳ７）では時計部６１が計数している現在時刻に基づき、ドライバ５２を制御する。これにより、ＬＣＤ表示パネル２３には、時計部６１が計数している現在時刻が常時表示される。
【００２５】
他方、午前３時となった場合には（ステップＳ１；ＹＥＳ）、前述したデータキャリア側アンテナコイル２６とリーダー／ライター側アンテナコイル１０１との間での電磁誘導によるデータ通信中であるか否かを判断する（ステップＳ２）。そして、データ通信中である場合には、ステップＳ３〜Ｓ５の処理を行うことなく、前記ステップＳ６、Ｓ７の処理を実行する。
【００２６】
しかし、データキャリア側アンテナコイル２６とリーダー／ライター側アンテナコイル１０１との間での電磁誘導によるデータ通信中でない場合には（ステップＳ２；ＮＯ）、電波受信処理を実行し、長波標準時刻電波受信ＩＣ５３を制御して受信アンテナ３３を駆動し長波標準電波を受信させる（ステップＳ３）。すなわち、我が国（日本）では、２つの送信所（福島県及び佐賀県）より、所定のフォーマットのタイムコードで振幅変調した４０ｋＨｚ及び６０ｋＨｚの長波標準電波が送出されている。したがって、ステップＳ３でのはこの長波標準電波を受信させ、さらに受信が成功したか否かを判断する（ステップＳ４）。そして、受信が成功した場合には、受信した長波標準電波に含まれているタイムコードに基づき、時計部６１が計数している現在時刻を修正する（ステップＳ５）。
【００２７】
すなわち、ステップＳ２の判断がＹＥＳであって、電磁誘導によりデータを送受信している状態において、タイムコードを含む長波標準電波を受信すると、電磁誘導によりデータを送受信する際の磁界がタイムコードを含む長波標準電波に干渉し、誤データが生成されてしまうおそれがある。しかし、ステップＳ２の判断がＹＥＳである場合には、ステップＳ５の処理が実行されないことにより、時計部６１に対する時刻修正が禁止される。したがって、譬え誤データが生成されたとしても、この誤データに基づき時計部６１の時刻が修正されることはない。よって、データキャリア側アンテナコイル２６とリーダー／ライター側アンテナコイル１０１との間での電磁誘導によるデータを送受信する機能を恒常的に確保しつつ、受信した長波標準電波に含まれているタイムコードに基づき正確な時刻修正を行うことが可能となる。
【００２８】
なお、本実施の形態においては、ステップＳ２でデータキャリア側アンテナコイル２６とリーダー／ライター側アンテナコイル１０１との間での電磁誘導によるデータ通信中であるか否かを判断するようにしたが、データキャリア側アンテナコイル２６とリーダー／ライター側アンテナコイル１０１との間での電磁誘導によるデータ通信が開始されたか否かを判断するようにし、開始された場合にはステップＳ３〜Ｓ５の受信及び時刻修正処理を実行せずにこれを停止するようにしてもよい。
【００２９】
また、本実施の形態において、時計本体２の６時側に長波標準時刻電波受信用の受信アンテナ３３を配置し、１２時側にアンテナコイル（データキャリア側アンテナコイル）２６を配置するようにしたが、これとは逆の配置にしてもよく、さらには、時計本体２の３時側に長波標準時刻電波受信用の受信アンテナ３３を配置し、９時側にアンテナコイル（データキャリア側アンテナコイル）２６を配置する等、時計本体２の一端部側に受信アンテナ３３とアンテナコイル２６のいずれか一方が配置され、前記一端部に対向する他端部側に他方が配置されれば、他の配置形態であってもよい。
【００３０】
（変形例）
【００３１】
図６は、本発明の変形例１を示すものである。図６（Ａ）に示すように腕時計２００には、時計用マイコン２０１とリーダー／ライター２０２とが内蔵され、リーダー／ライター２０２にアンテナコイル２０３が接続されている。一方、赤ペン３００にはトランスポンダー３０１が内蔵され、トランスポンダー３０１にはアンテナコイル３０２が接続されている。
【００３２】
係る変形例において、同図（Ｂ）に示すように、腕時計２００に赤ペン３００を近接させることにより、両アンテナコイル２０３、３０２間での電磁誘導によって、赤ペン３００側から腕時計２００側にコマンドを送信することができる。したがって、腕時計１の時計用マイコン２０１がこのコマンドに従って処理を実行することにより、例えば表示部２０４に表示させている時刻の数字を赤ペン３０の近接に伴って、赤色に変化させることが可能となる。
【００３３】
図７は、本発明の変形例２を示すものである。図に示すように腕時計４００の時計本体４０１には、時計用マイコン４０３とリーダー／ライター４０４とが内蔵され、リーダー／ライター４０４にアンテナコイル４０５が接続されている。一方、バンド４０３にはトランスポンダー４０７が内蔵され、トランスポンダー４０７にはアンテナコイル４０８が接続されている。
【００３４】
係る変形例において、両コイルアンテナコイル４０５、４０８間での電磁誘導により、常時トランスポンダー４０７と時計用マイコン４０３間でデータ送受信を行うことが可能となる。したがって、例えばバンド４０６に内蔵されたトランスポンダー４０７の情報を読み出して、腕時計４００の国内／海外バージョンを切り換えることが可能となる。
【図面の簡単な説明】
【００３５】
【図１】本発明の実施の形態に係る腕時計の外観図である。
【図２】同腕時計の断面図である。
【図３】同腕時計の回路構成を示すブロック図である。
【図４】腕時計と電磁誘導によりデータを送受信するリーダー／ライターの側の構成を示すブロック図である。
【図５】本実施の形態における処理手順を示すフローチャートである。
【図６】（Ａ）は変形例１の構成を示すブロック図、（Ｂ）は概念図である。
【図７】（Ａ）は変形例２の構成を示すブロック図、（Ｂ）は概念図である。
【符号の説明】
【００３６】
１    腕時計
２    時計本体
４    ケース本体
５    ベゼル
８    風防ガラス
９    防水パッキン
１４    時計モジュール
２０    電池
２１    ＬＳＩ基板
２３    ＬＣＤ表示パネル
２６    アンテナコイル
３１    カバー
３２    収容空間部
３３    受信アンテナ
３４    カバー
３５    収容空間部
５２    ドライバ
５３    長波標準時刻電波受信ＩＣ
５４    非接触データ通信ＩＣ
５７    電源回路
５８    ＲＡＭ
５９    ＲＯＭ
６０    ＣＰＵ
６１    時計部
【図１】
2005181117.tif 000003
【図２】
2005181117.tif 000004
【図３】
2005181117.tif 000005
【図４】
2005181117.tif 000006
【図５】
2005181117.tif 000007
【図６】
2005181117.tif 000008
【図７】
2005181117.tif 000009